(57)【要約】 【課題】使用者の体格を問わずに使用することができる上に全高を低く抑えることができるものとする。【解決手段】マッサージ機構１４を背もたれ１内に配した椅子型のマッサージ機である。背もたれ１は腰サポート部分が湾曲して背もたれ１前面と座部２の上面とが曲線で連続する形状となっている。座部と背もたれの境界がなく、使用者の着座位置がずれても背もたれに背を預けた時、背もたれ前面に背から腰にかけてを密着させることができる。【選択図】図１
2010099451.tif 000002
【特許請求の範囲】
【請求項１】
マッサージ機構を背もたれ内に配した椅子型のマッサージ機であり、上記背もたれは腰サポート部分が湾曲して背もたれ前面と座部の上面とが曲線で連続する形状となっていることを特徴とするマッサージ機。
【請求項２】
上記マッサージ機構は背もたれ内を上下に移動自在となっているものであるとともに、その移動軌跡は背もたれの座部寄り側で背もたれ前面から離れるものとなっていることを特徴とする請求項１記載のマッサージ機。
【請求項３】
背もたれの座部寄りの部分の前面にはクッション材が配設されていることを特徴とする請求項１または２記載のマッサージ機。
【請求項４】
背もたれ前面と座部上面とを両者に跨って覆うカバー材を備えていることを特徴とする請求項１〜３のいずれか１項に記載のマッサージ機。
【請求項５】
上記背もたれはマッサージ機構の施療子が通る開口部を有するパネルを内蔵しているとともに、使用者の荷重を受ける上記パネルは、使用者の頭部を逃がすための切り欠きを上記開口部上端に連続するものとして備えていることを特徴とする請求項１〜４のいずれか１項に記載のマッサージ機。
【請求項６】
上記切り欠きには緩衝材を配置していることを特徴とする請求項５記載のマッサージ機。
【請求項７】
座部よりも前方側に位置するとともに使用者の膝位置を座部上面より浮かせる位置で使用者の足先を受ける足載せ台を備えていることを特徴とする請求項１〜６のいずれか１項に記載のマッサージ機。
【請求項８】
背もたれの前面に配される着脱自在な置きクッションを備えていることを特徴とする請求項１〜７のいずれか１項に記載のマッサージ機。
【請求項９】
上記置きクッションは、背もたれの前面を覆う大きさと形状とを有するものであることを特徴とする請求項８記載のマッサージ機。
【発明の詳細な説明】
【技術分野】
【０００１】
本発明は、マッサージ機、殊に椅子型のマッサージ機に関するものである。
【背景技術】
【０００２】
椅子の背もたれ部分にマッサージ機構を内蔵した椅子型のマッサージ機は従来から各種のものが提供されているが、この種のマッサージ機では、従来、座部と背もたれ部とが明確に分けられており、使用者は座部の座面上に座って背もたれに背を預けると、背もたれに内蔵されたマッサージ機構が使用者の背面の肩から腰までをマッサージするものとなっている。
【０００３】
そして従来の椅子型のマッサージ機では、背もたれのフレームがほぼ直線状に形成されており、使用者は背筋を伸ばした状態で座部に深く座ることで、肩部から腰部までが背もたれ前面に接するとともに、背もたれに内蔵されたマッサージ機構によるマッサージが使用者の肩部から腰部までのマッサージを行うことができるものとなっている。
【０００４】
この場合、背もたれは想定される長身長の使用者の体格に合わせた長さを持つものとしなくてはならず、どうしても椅子の全高が大きくなってしまい、これに伴って部屋の中での存在感が大きくなりすぎて圧迫感のある存在となるとともに美観も損ねやすいという問題がある。
【先行技術文献】
【特許文献】
【０００５】
【特許文献１】特開２００８−０９２９７３号公報
【発明の概要】
【発明が解決しようとする課題】
【０００６】
本発明は上記の従来の問題点に鑑みて発明したものであって、使用者の体格を問わずに使用することができる上に全高を低く抑えることができるマッサージ機を提供することを課題とするものである。
【課題を解決するための手段】
【０００７】
上記課題を解決するために本発明に係るマッサージ機は、マッサージ機構を背もたれ内に配した椅子型のマッサージ機であり、上記背もたれは腰サポート部分が湾曲して背もたれ前面と座部の上面とが曲線で連続する形状となっていることに特徴を有している。
【０００８】
座部と背もたれの境界がなく、使用者の着座位置がずれても背もたれに背を預けた時、背もたれ前面に背から腰にかけてを密着させることができる。
【０００９】
上記マッサージ機構が背もたれ内を上下に移動自在となっているものであるならば、その移動軌跡は背もたれの座部寄り側で背もたれ前面から離れるものとなっていることが好ましい。施療子が腰骨やお尻に当たることを無くすことができる。
【００１０】
また、背もたれの座部寄りの部分の前面にはクッション材が配設されていることが座り心地の点で好ましい。
【００１１】
また、背もたれ前面と座部上面とを両者に跨って覆うカバー材を備えていると、背もたれと座部との境目を示すものがなくなるために、更に好ましいものとなる。
【００１２】
上記背もたれはマッサージ機構の施療子が通る開口部を有するパネルを内蔵しているとともに、使用者の荷重を受ける上記パネルは、使用者の頭部を逃がすための切り欠きを上記開口部上端に連続するものとして備えているものとするのが、使用者の首に負担をかけることがなくなって好ましい。特に上記切り欠きに緩衝材を配置しておくと、頭部の当たりを和らげることができるために、より好ましいものとなる。
【００１３】
更には、座部よりも前方側に位置するとともに使用者の膝位置を座部上面より浮かせる位置で使用者の足先を受ける足載せ台を備えていることが好ましい。着座位置によっては使用者はずり落ちる感が生じて腹筋に力が入ってしまい、くつろげない状態となることがあるが、このような事態を招いてしまうことがなくなる。
【００１４】
また、背もたれの前面に配される着脱自在な置きクッションを備えていることが、マッサージ機として使用しない場合の座り心地の向上と、通常のソファとしての外観を与えることについて有利となる上に、テレビなどの視聴に適した背もたれ角度と、マッサージに適した背もたれ角度とを共に得られるものとなる。
【００１５】
殊に上記置きクッションが背もたれの前面を覆う大きさと形状とを有するものであると、置きクッション自体がソファの一部材となる外観を持つために、通常のソファとしての外観を持たせることについて更に有利となる。
【発明の効果】
【００１６】
本発明においては、使用者はその着座位置がずれても背から腰にかけての部分を背もたれに密着させることができるために、使用者は身体をずらすことで施療範囲を調整することができるものであり、長身長者に合わせた高さを持たなくても長身長者もマッサージを受けることができる。これに伴って、全高を高くする必要がなくなって、部屋の中においても圧迫感のない存在とすることができる。
【図面の簡単な説明】
【００１７】
【図１】本発明の実施の形態の一例の概略側面図である。
【図２】同上の背もたれの内部構造を示す側面図である。
【図３】同上の背もたれの内部構造の斜視図である。
【図４】同上の置きクッションを配した例を示しており、(a)は斜視図、(b)は概略側面図である。
【発明を実施するための形態】
【００１８】
以下、本発明を添付図面に示す実施形態に基づいて説明すると、図１に示すように、このマッサージ機は、背もたれ部１と座部２，そしてこの両者を支持している支持部３、そして座部２の下方に収納自在となっている足置き台４からなるもので、座部２の上面に対して前面が鈍角をなしている背もたれ１内にはゆるやかに湾曲したフレーム１０が設けられているとともに、施療子１５を備えたマッサージ機構１４が配設されている。該マッサージ機構１４は、フレーム１０に沿った移動を行う自走手段を内蔵するとともに、上記施療子１５に揉みマッサージ動作及びまたはたたきマッサージ動作を行わせる駆動手段を内蔵したもので、背もたれ１５の前面側に位置させた施療子１５により背もたれ１に持たれた使用者の背面に対してマッサージを行う。
【００１９】
ここにおいて、上記背もたれ１は、図２及び図３に示すように、施療子１５を通過させるための空間となる開口部１２を備えた合成樹脂製のパネル１１を上記フレーム１０上に配し、該パネル１１全体を布地で形成されているとともに部分的にクッション材が配されているカバー（図示せず）で覆うことで形成されたものであるが、上記フレーム１０及びパネル１１は、使用者の腰をサポートすることになる部分が大きい曲率半径で湾曲しており、この湾曲により、背もたれ１の前面下部は緩やかな曲線を描いて座部２の上面にそのまま連続し、座部２と背もたれ部１との境界が実際上、存在しない形状となっている。
【００２０】
このマッサージ機に座って施療を受ける場合、使用者は背もたれ１前面と座部２の上面との連続した面上の任意の位置に腰がくるように座ればよい。長身長者であれば座部寄りに腰がくるように座ることで、肩を施療子１５の動作範囲内に位置させることができ、逆に背が低い使用者であれば、臀部位置が座部２の深いところにくるように座ることで、頭部を背もたれ１の上端部に位置させることができる。
【００２１】
しかも、上記のように座る位置を前後にずらしても、背もたれ１前面から座部２上面にかけて緩やかな湾曲凹面を描いているために、使用者は背を軽く丸めた状態で肩部から腰部までの全範囲を背もたれ１前面に接触させることができるものであり、このために従来例の椅子型マッサージ機のように、着座位置によっては腰が背もたれ１前面から浮いてしまうというようなことがなく、マッサージ機構１４の施療子１５による肩から腰までのマッサージを常に問題なく行うことができる。
【００２２】
このように、着座位置がずれてもマッサージを行うことができるために、このマッサージ機では、長身長者に合わせて背もたれ１を長いものにしなくても済むものであり、これに伴って全高を抑えることができる上に、前後長も長くしなくてもよいために、家庭の部屋の中においても圧迫感を感じるような大きな存在とはならず、通常のソファと同等の存在感のものとすることができる。
【００２３】
ここにおいて、背もたれ１の座部２側の端部の上面側の左右には、図２及び図３に示すように、上記パネル１１上に位置するクッション材１６を配置している。このためにパネル１１の座部２寄りのところに使用者の臀部が位置しても、パネル１１に臀部が当たることがなく、座り心地の良いものとなっている。なお、該クッション材１６は、前述のカバーで背もたれ１と同時に覆われている。
【００２４】
また、背もたれ１の座部２寄りの部分は、上記クッション材１６の配置によって座部２の上面と同様のほぼ水平な面となっているのであるが、マッサージ機構１４の移動ガイドとなっているフレーム１０は水平面に対して角度θだけ傾いたままであり、このためにフレーム１０の下端までマッサージ機構１４が移動した時、施療子１５は背もたれ１の座部２寄りの上面、つまりは上記クッション材１６の上面から図中Ｓで示す距離だけ離れることになる。このために施療子１５が臀部にあたったりすることがない。
【００２５】
このほか、クッション材１６の前端面を斜面として形成し、座部２の後端面はクッション材１６の傾斜した前端面に載る逆傾斜の斜面としているために、座部２とクッション材１６との境目に段差が生じたりクッション性の違いが生じたりすることがないものとなっている。
【００２６】
ところで、背もたれ１と座部２とが連続する面を描くようにしたとはいえ、この面には座部２と背もたれ１とが別部品として形成されて組み合わされているために、境界線が表に現れてしまい、この境界線は使用者に対して着座位置に制限があるかのような印象を与えてしまう。
【００２７】
このために、ここでは背もたれ１前面と座部２上面とを両者に跨って覆うカバー材５を配置し、上記境界線を使用者の目から隠している。このカバー材５は、装着した状態でも施療子１５が使用者の背面をマッサージすることを妨げることがないように薄目に形成されたものであるとともに、その全面が同一のテキスチャーを有するものとなっている。
【００２８】
背もたれ１を覆う前記カバーは、パネル１１部分を覆うクッション性を有する部分と、前記開口部１２のところに位置して使用者の背面と施療子１５との間に位置することになる部分とが違う材質で形成されていることによるマッサージ機特有の外観を生じさせるものであるが、このカバーの背もたれ１前面部をカバー材５で全面的に覆っているために、外観的にもマッサージ機を感じさせないものとすることができる。なお、該カバー材５は、ここでは背もたれ１及び座部２に対して着脱自在として、洗濯や別意匠のものへの交換に応ずることができるようにしているが、例えば座部２と一体に形成したものであってもよい。
【００２９】
また、該マッサージ機は、図４に示すようにカバー材５の上に更に置きクッション１７を置くことで、クッション性の向上と、パネル１１の開口部１２への落込みを防ぐことによる座り心地の向上とを得ることができる。上記置きクッション１７としては、背もたれ１の前面をほぼ覆う大きさと形状とすることで、背もたれ１に安定して設置することができるものが好ましい。また背もたれ１と置きクッション１７との間に隙間が生じないようにして、置きクッション１７自体がソファの一部となるようにしておくことで、マッサージを行わない時の外観は更に通常のソファとかわらないものとなる。
【００３０】
更には背もたれ１に背を直接あずけた場合よりも頭を起こした状態に保ってテレビの視聴や読書を楽に行うことができるようにするために、背を腰に近いポイントで起こすことができる断面形状を有するもの、つまりはパネル１１（とクッション材１６）とによって決定されている背もたれ１から座部２にかけての湾曲半径を小さくすることになるものが好ましい。マッサージに適した安楽状態と、テレビ視聴などに適した状態とを置きクッション１７を配置するか否かによって調整することができる。
【００３１】
背もたれ１における前記パネル１１の開口部１２の上端は、図３から明らかなようにパネル１１の上端部に設けた切り欠き１３に連続するものとなっている。この切り欠き１３は、使用者の頭部が背もたれ１の上端部に位置する時、頭部を後方側に逃がして使用者の首折れ角度を緩和するためのものである。なお、切り欠き１３部分の縁にはクッション性のある緩衝材１８を配置することで当たり感も良くなるようにしている。
【００３２】
図１において座部２の前方側に位置している足載せ台４は、不使用時には座部２の下方に収納させることができるものであるが、この足載せ台４は、座部２（または背もたれ１の座部２寄りの部分）に着座した使用者が足先を載せた時、使用者の膝位置を座部上面より浮かせることになる高さ及び位置に配置することができるようにしている。
【００３３】
着座位置が任意である本マッサージ機に着座した時、場合によってはずり落ちる感がして腹筋に力が入ってしまう場合があるが、上記足載せ台４に足先を載せれば、膝が座部２の前端よりも浮く状態となるために、上記ずり落ち感を無くすことができ、これに伴って腹筋に力が入ってしまったりすることがなく、従ってくつろいだ状態を得ることができる。この時、膝の角度が略直角以上となるようにしておくことで、より効果が高くなる。
【符号の説明】
【００３４】
１  背もたれ
２  座部
１０  フレーム
１１  パネル
１４  マッサージ機構
１５  施療子
【図１】
2010099451.tif 000003
【図２】
2010099451.tif 000004
【図３】
2010099451.tif 000005
【図４】
2010099451.tif 000006